(57)【要約】【課題】間仕切りにおけるパネルの端部と縦枠との間に生じる隙間を簡単に閉塞することができ、しかも、間仕切りの撤去も容易に行え、さらに、隙間の幅寸法が異なっても対応可能なパネルの調整部構造を提供する。【解決手段】天井に設けられた上枠、床に設けられた下枠及び対向する壁にそれぞれ設けられた一対の縦枠１７，１８からなるパネル装着枠内にパネル２２，３２を装着した状態で、前記縦枠１８とパネル端部との間に生じる隙間を閉塞するために設けられるパネルの調整部５１の構造であって、前記縦枠１８の内側面中央部に縦方向に設けられているパネル端部嵌合用の嵌合溝１８ａに面ファスナー６１を介して前記隙間の幅寸法より短い幅寸法を有するジョイント縦枠５２を装着するとともに、該ジョイント縦枠５２の前後両面に面ファスナー６２を介して前記隙間の幅寸法より短い幅寸法を有するパネル部材５３を装着する。【選択図】　　図１
2004116053.tif 000002
【特許請求の範囲】
【請求項１】
天井に設けられた上枠、床に設けられた下枠及び対向する壁にそれぞれ設けられた一対の縦枠からなるパネル装着枠内にパネルを装着した状態で、前記縦枠とパネル端部との間に生じる隙間を閉塞するために設けられるパネルの調整部の構造であって、前記縦枠の内側面中央部に縦方向に設けられているパネル端部嵌合用の嵌合溝に面ファスナーを介して前記隙間の幅寸法より短い幅寸法を有するジョイント縦枠を装着するとともに、該ジョイント縦枠の前後両面と、前記パネルの端面中央部に縦方向に設けられている嵌合凸部の前後両面との間に、面ファスナーを介して前記隙間の幅寸法より短い幅寸法を有するパネル部材を装着したことを特徴とするパネルの調整部構造。
【発明の詳細な説明】
【０００１】
【発明の属する技術分野】
本発明は、パネルの調整部構造に関し、詳しくは、間仕切りパネルの端部と縦枠との間に生じる隙間を容易に閉塞することができ、また、間仕切りを撤去する際の取り外しも容易に行うことができるパネルの調整部構造に関する。
【０００２】
【従来の技術】
従来から、室内を区画するために各種の間仕切りが用いられている。この間仕切りの一つとして、天井、床及び対向する壁にそれぞれ上枠、下枠及び一対の縦枠からなるパネル装着枠を設置し、このパネル装着枠内にパネルを着脱可能な状態で装着した可動間仕切りが知られている。また、このような可動間仕切りにおいては、パネル装着枠にパネルを着脱する際の作業代を得るために室内の壁間寸法に比べてパネルの全長を短くしているので、パネルの端部と壁との間に隙間を生じることになり、この隙間を閉塞するための調整部を設けるようにしている。
【０００３】
この調整部の構造としては、所定幅に形成した仕上げパネルを隙間に装着し、ビスや釘あるいは接着剤で固定することが従来から行われており、また、近年は、半割状の仕上げパネルを間仕切りの両側から嵌め込むものも提案されている（例えば、特許文献１参照。）。
【０００４】
【特許文献１】
特開平１０−３７３５３号公報（第１頁、第２図）
【０００５】
【発明が解決しようとする課題】
しかしながら、従来のこれらの調整部の構造では、室内の模様替えを行う際にパネルを取り外すのが困難であり、仕上げパネルを破壊しなければならないこともあった。また、間仕切りを別の場所に設置する場合、隙間の幅寸法が異なると新たな仕上げパネルを用意する必要がある。したがって、既存の間仕切りを撤去するのに時間がかかるだけでなく、騒音が発生することもあり、また、新たな間仕切りを設置する際にも、隙間の寸法に合わせた仕上げパネルを製作しなければならず、作業時間やコストに問題があった。
【０００６】
そこで本発明は、間仕切りにおけるパネルの端部と縦枠との間に生じる隙間を簡単に閉塞することができ、しかも、間仕切りの撤去も容易に行え、さらに、隙間の幅寸法が異なっても対応可能なパネルの調整部構造を提供することを目的としている。
【０００７】
【課題を解決するための手段】
上記目的を達成するため、本発明のパネルの調整部構造は、天井に設けられた上枠、床に設けられた下枠及び対向する壁にそれぞれ設けられた一対の縦枠からなるパネル装着枠内にパネルを装着した状態で、前記縦枠とパネル端部との間に生じる隙間を閉塞するために設けられるパネルの調整部の構造であって、前記縦枠の内側面中央部に縦方向に設けられているパネル端部嵌合用の嵌合溝に面ファスナーを介して前記隙間の幅寸法より短い幅寸法を有するジョイント縦枠を装着するとともに、該ジョイント縦枠の前後両面に面ファスナーを介して前記隙間の幅寸法より短い幅寸法を有するパネル部材を装着したことを特徴としている。
【０００８】
【発明の実施の形態】
図は本発明の一形態例を示すもので、図１は間仕切りの横断面図、図２は間仕切りのドアパネル部分を示す断面図、図３は間仕切りの壁パネル部分を示す縦断面図、図４は間仕切りの反調整部側を示す横断面図、図５は間仕切りの調整部側を示す横断面図、図６は間仕切りの調整部を示す縦断面図、図７は間仕切り撤去時の状態を示す縦断面図である。
【０００９】
まず、間仕切りを設置する部分には、床１１、天井１２及び壁１３、１４に、あらかじめ上枠１５、下枠１６及び左右一対の縦枠１７、１８がそれぞれ設けられてパネル装着枠を形成している。このパネル装着枠の内周面には、パネル建込用の嵌合溝がそれぞれ設けられており、上枠１５には、パネル厚に対応した開口寸法を有する深い嵌合溝１５ａが、下枠１６及び縦枠１７、１８には浅い嵌合溝１６ａ、１７ａ、１８ａが、それぞれ見込方向中央部の長手方向に連続して設けられている。
【００１０】
このパネル装着枠には、各種構造のパネルを装着することができ、出入り口を形成するためのドア２１を設けたドアパネル２２や、仕切壁となる壁材３１を取り付けた壁パネル３２等を装着することができる。前記ドアパネル２２の上部及び両側部には、戸当たりを形成するパネル上枠２３及び左右一対のパネル縦枠２４、２５が設けられており、一方のパネル縦枠にはヒンジが、他方のパネル縦枠には錠受がそれぞれ設けられ、パネル上枠２３には必要に応じてドアチェックが設けられる（図示せず）。また、ドアパネル２２の下部には、下枠１６の嵌合溝１６ａに嵌合するドアパネル下枠２６が取り付けられている。また、両パネル縦枠２４、２５の外周側中央部長手方向には、縦枠１７、１８の嵌合溝１７ａ、１８ａに嵌合可能なる嵌合凸部２４ａ、２５ａがそれぞれ設けられている。
【００１１】
前記壁パネル３２は、四周のパネル上枠３３、パネル下枠３４及び左右一対のパネル縦枠３５、３６の内周に前記壁材３１を保持したものであって、パネル下枠３４と一方のパネル縦枠３６には、下枠１６の嵌合溝１６ａ及び縦枠１７、１８の嵌合溝１７ａ、１８ａに嵌合可能な嵌合凸部３４ａ、３６ａがそれぞれ設けられており、他方のパネル縦枠３５には、前記各パネル縦枠２４、２５、３６の嵌合凸部２４ａ、２５ａ、３６ａが嵌合可能な嵌合溝３５ａが設けられている。
【００１２】
このようなドアパネル２２や壁パネル３２は、パネル装着枠に建て込んだときに、一方の縦枠１７と、この縦枠１７側のパネル端部、すなわち、本例ではドアパネル２２の端部とを密着させ、縦枠１７の嵌合溝１７ａにドアパネル２２の一方のパネル縦枠２４に設けられた嵌合凸部２４ａを嵌合させた状態とし、このドアパネル２２に隣接する壁パネル３２は、ドアパネル２２の他方のパネル縦枠２５に設けられた嵌合凸部２５ａを壁パネル３２のパネル縦枠３５に設けられた嵌合溝３５ａに嵌合させた状態で装着する。以下、各パネルの嵌合凸部と嵌合溝とをそれぞれ嵌合させた状態で順次パネル装着枠にパネルを建て込んで装着していく。
【００１３】
各パネルの建て込みに際しては、パネル両側を手で持ってパネル上部を上枠１５の嵌合溝１５ａに挿入した後、パネルを垂直にしてパネル下枠の嵌合凸部を下枠１６の嵌合溝１６ａに嵌合させてから、一方の縦枠１７側にスライドさせるという手順を繰り返して行われる。このため、建て込み時にパネル両側に手を挿入するための空間を設けておく必要があり、したがって、最後のパネルの端部となるパネル縦枠３６と縦枠１８との間には、１０ｃｍ近い隙間が生じることになる。なお、この隙間の寸法は、室内の壁間寸法によって変化するが、幅寸法の異なる数枚のパネルを適当に組み合わせることにより、隙間の寸法を１０ｃｍ程度にすることができる。
【００１４】
そして、この隙間を閉塞するために用いられる調整部５１は、縦枠１８に面ファスナー６１を介して装着されるジョイント縦枠５２と、このジョイント縦枠５２の前後両面に同じく面ファスナー６２を介して装着されるパネル部材５３とで形成されている。ジョイント縦枠５２は、縦枠１８の内側面中央部に縦方向に設けられている前記嵌合溝１８ａの開口寸法に対応した見込寸法を有し、上下方向の長さはパネルの高さ寸法に対応した寸法を有している。一方、幅方向の寸法は、前記隙間の寸法よりも数ｃｍ短い寸法に設定されている。
【００１５】
また、前記パネル部材５３は、ジョイント縦枠５２に装着したときに、その表面がパネル表面と面一になるような厚さを有するものであって、上下方向はパネルの高さ寸法に対応した寸法を有している。このパネル部材５３の幅寸法も、ジョイント縦枠５２と同様に前記隙間の寸法よりも数ｃｍ短い寸法に設定されているが、ジョイント縦枠５２の幅寸法とパネル部材５３の幅寸法との和は、前記隙間の寸法よりも、面ファスナー６２を取り付ける分、数ｃｍ長くなるように設定されている。
【００１６】
例えば、ジョイント縦枠５２の幅寸法は、着脱時の作業性を考慮して隙間寸法の５０〜７５％程度に、パネル部材５３の幅寸法は取り外し時の作業性を考慮して隙間寸法の６０〜８５％程度に設定しておくことが好ましい。なお、ジョイント縦枠５２及びパネル部材５３は、幅寸法が異なるものをあらかじめ製作しておいてもよい。
【００１７】
前記ジョイント縦枠５２は、ある程度の強度が得られるように、アルミニウム、ステンレス鋼等の金属で形成することが好ましく、パネル部材５３の材質は任意であるが、その少なくとも表面は、壁パネル３２の表面と同等の仕上げを施しておくことが好ましい。さらに、両者に木質材を使用することもでき、室内壁面等の仕上げ状態に応じて最適な材質及び表面仕上げを選択することができる。
【００１８】
また、前記面ファスナー６１、６２は、前記嵌合溝１８ａの底面とジョイント縦枠５２の嵌合溝挿入面とのそれぞれ対応する位置、及び、ジョイント縦枠５２の前後面とパネル部材５３の内面とのそれぞれ対応する位置に接着等の手段により取付けられるものであって、接合強度及び取り外し時の作業性を考慮して、その取付位置や大きさ（接合面積）、取付数が設定されている。
【００１９】
このように形成した調整部５１は、まず、ジョイント縦枠５２を上下枠１５，１６に建て込んで嵌合溝１８ａ内に挿入し、面ファスナー６１を接合させることによって縦枠１８にジョイント縦枠５２を装着固定する。次に、パネル部材５３のパネル側端縁をパネル縦枠３６に近接させた状態で、該パネル部材５３の上部を上枠１５の嵌合溝１５ａ内に挿入し、下端を下枠１６の嵌合溝両側の上面に当接させるようにしながらジョイント縦枠５２に押し付けるようにして面ファスナー６２を接合させ、ジョイント縦枠５２とパネル縦枠３６との間に生じる隙間を両面からパネル部材５３で塞ぐ。これにより、パネル端部のパネル縦枠３６と縦枠１８との間に生じる隙間をジョイント縦枠５２とパネル部材５３とからなる調整部５１で閉塞することができる。
【００２０】
このとき、パネル縦枠３６と縦枠１８との間に生じた隙間の寸法が、ジョイント縦枠５２やパネル部材５３の着脱が不可能なほど狭かったり、ジョイント縦枠５２とパネル部材５３とを面ファスナー６２で接合させることが困難なほど広かったりした場合には、調整部５１を装着することはできないが、その間の寸法範囲ならば、ジョイント縦枠５２とパネル部材５３との位置関係、すなわち、パネル部材５３と縦枠１８との間の目地幅が異なってくるのみで、前記手順で調整部５１を装着することにより、前記隙間を閉塞することができる。
【００２１】
一方、間仕切りを撤去する場合には、パネル部材５３と縦枠１８との間から指や治具を挿入してパネル部材５３の下部を手前側に引き出し、面ファスナー６２の接合状態を解除してパネル部材５３をジョイント縦枠５２から引き離す作業を前後両パネル部材５３についてそれぞれ行い、ジョイント縦枠５２からパネル部材５３をそれぞれ取り外す。次に、上枠１５の嵌合溝１５ａ内に指や治具を挿入してジョイント縦枠５２の上部を壁パネル３２側に倒し、面ファスナー６１の接合状態を解除してジョイント縦枠５２を縦枠１８から取り外す。
【００２２】
これにより、間仕切りの端部に隙間が形成されるので、各パネルを縦枠１８方向にスライドさせることによってパネル両側に手を挿入する間隔を得ることができる。したがって、各パネルを上方に持ち上げて下枠１５との嵌合状態を解除した後、パネル下部を手前に引き出すことによってパネル装着枠からパネルを取り外すことができる。
【００２３】
間仕切りを別の位置に移動させる場合は、このようにして取り外した各パネルを、前述のようにして所定の位置に順次建て込み、端部に生じる隙間を調整部５１で閉塞するようにすればよい。このとき、調整部５１のジョイント縦枠５２やパネル部材５３は、取り外し時に破壊されたり、ねじ孔が残っていたりすることがないので、移設した間仕切りに対しても、これらをそのまま再利用することが可能であり、この際、隙間の寸法が多少異なっていても対応できるので、従来のように、新たな隙間の寸法に合わせた仕上げパネルを製作する必要がなくなる。
【００２４】
このように、間仕切りの設置、撤去、移設の各作業を容易に行うことが可能となり、接着やビス止め、釘打ち等の作業も不要であるから、熟練した作業者がいなくてもこれらの作業を行うことができ、また、作業時に騒音が発生することもなくなる。また、図７に示すように、間仕切りを装着していないパネル装着枠や、間仕切りを撤去した後の上枠１５や下枠１６には、嵌合溝１５ａ及び嵌合溝１６ａに化粧カバー１５ｂ、１６ｂをそれぞれ装着しておくことにより、見映えの向上が図れるとともに、下枠１６の段差も解消することができる。
【００２５】
【発明の効果】
以上説明したように、本発明のパネルの調整部構造によれば、パネルの端部と縦枠との間に生じる隙間を、その隙間の寸法が多少異なっていても簡単に閉塞することができ、しかも、間仕切りを撤去する際の調整部の取り外しも容易に行うことができる。さらに、接着やビス止め、釘打ち等の作業も不要であるから作業性も良く、騒音も発生しない。
【図面の簡単な説明】
【図１】間仕切りの横断面図である。
【図２】間仕切りのドアパネル部分を示す縦断面図である。
【図３】間仕切りの壁パネル部分を示す縦断面図である。
【図４】間仕切りの反調整部側を示す横断面図である。
【図５】間仕切りの調整部側を示す横断面図である。
【図６】間仕切りの調整部を示す縦断面図である。
【図７】間仕切り撤去時の状態を示す縦断面図である。
【符号の説明】
１１…床、１２…天井、１３，１４…壁、１５…上枠、１６…下枠、１７，１８…縦枠、２１…ドア、２２…ドアパネル、２３…パネル上枠、２４，２５…パネル縦枠、２６…ドアパネル下枠、３１…壁材、３２…壁パネル、３３…パネル上枠、３４…パネル下枠、３５，３６…パネル縦枠、５１…調整部、５２…ジョイント縦枠、５３…パネル部材、６１，６２…面ファスナー
【図１】
2004116053.tif 000003
【図２】
2004116053.tif 000004
【図３】
2004116053.tif 000005
【図４】
2004116053.tif 000006
【図５】
2004116053.tif 000007
【図６】
2004116053.tif 000008
【図７】
2004116053.tif 000009